(57)【要約】  本発明の実施例は音声映像再生設備、データ表示方法および記憶媒体を提供し、前記音声映像再生設備は、プロセッサ、映像形式変換チップおよびディスプレイを含み、前記プロセッサは、スクリーンメニューデータを生成して前記映像形式変換チップに出力するのに用い、前記映像形式変換チップは、前記プロセッサに接続し、受信した外部映像信号と前記プロセッサが出力したスクリーンメニューデータを重ね合わせて、重ね合わせた後の信号をディスプレイが識別できる形式の信号に変換した後ディスプレイに伝送するのに用い、前記ディスプレイは、受信した信号を表示するのに用いる。そのうち、映像形式変換チップは外部映像信号とプロセッサが生成したスクリーンメニューデータを重ね合わせて、重ね合わせた後の信号をディスプレイが識別できる形式の信号に変換した後ディスプレイに伝送し、これによって外部映像信号を再生するときに、外部映像信号とスクリーンメニューを同時に表示することができるようになる。
2017532795.tif 000002
【特許請求の範囲】
【請求項１】
プロセッサと、映像形式変換チップと、ディスプレイとを含み、
前記プロセッサは、スクリーンメニューデータを生成して前記映像形式変換チップに出
力するのに用い、
前記映像形式変換チップは、前記プロセッサに接続し、受信した外部映像信号と前記プロセッサが出力したスクリーンメニューデータを重ね合わせて、重ね合わせた後の信号を前記ディスプレイが識別できる形式の信号に変換した後前記ディスプレイに伝送し、前記外部映像信号は前記プロセッサ以外の映像信号源に由来するものであり、
前記ディスプレイは、受信した信号を表示するのに用いることを特徴とする音声映像再生設備。
【請求項２】
前記プロセッサは電気的に第１映像形式入力インターフェイス及び少なくとも１つの映像形式出力インターフェイスを設けており、前記第１映像形式入力インターフェイスは主信号源に接続しており、前記主信号源が入力した主音声信号と主映像信号を受信するのに用い、前記プロセッサは前記主信号源の主映像信号と生成したスクリーンメニューデータを重ね合わせて、前記映像形式出力インターフェイスを通じて前記映像形式変換チップに出力し、
前記映像形式変換チップは、さらに前記プロセッサが出力した重ね合わせた後の主映像信号を前記ディスプレイが識別できる形式の信号に変換した後前記ディスプレイに伝送するのに用いることを特徴とする請求項１に記載の音声映像再生設備。
【請求項３】
前記プロセッサはさらに音声システムに接続しており、前記主信号源の主音声信号を再生するのに用いることを特徴とする請求項２に記載の音声映像再生設備。
【請求項４】
前記映像形式変換チップは電気的に外部音声映像入力インターフェイスを設けており、外部信号源に接続しており、前記外部信号源に由来する外部音声信号と外部映像信号を受信するのに用いることを特徴とする請求項１または請求項２に記載の音声映像再生設備。
【請求項５】
前記プロセッサは音声システムに接続しており、前記映像形式変換チップは前記外部音声信号を前記プロセッサに伝送し、前記プロセッサは受信した外部音声信号を前記音声システムに出力して再生することを特徴とする請求項４に記載の音声映像再生設備。
【請求項６】
前記音声映像再生設備はさらにフレームレート変換／動き推定と動き補償チップを含み、前記映像形式変換チップが出力した信号を高解像度と高フレームレートの映像信号に変換し、前記ディスプレイに伝送するのに用いることを特徴とする請求項１、請求項２または請求項５に記載の音声映像再生設備。
【請求項７】
前記プロセッサは汎用シリアルバスインターフェイスを通じてスクリーンメニューデータを前記映像形式変換チップに出力することを特徴とする請求項１に記載の音声映像再生設備。
【請求項８】
前記プロセッサはハイビジョンマルチメディアを通じてスクリーンメニューデータを前記映像形式変換チップに出力することを特徴とする請求項１に記載の音声映像再生設備。
【請求項９】
前記映像形式出力インターフェイスは移動端末ハイビジョン音響映像標準ＭＨＬインターフェイスと、ハイビジョンマルチメディアインターフェイスＨＤＭＩ（登録商標）と、小振幅差動信号方式ＬＶＤＳインターフェイスと、ディスプレイインターフェイスＤＰと、内部配線向けディスプレイインターフェイスＥＤＰと、モバイル・インダストリー・プロセッサー・インターフェイスーディスプレイ・シリアル・インターフェイスＭＩＰＩ ＤＳＩと、論理集積回路ＴＴＬインターフェイスとのうちのいずれの１つまたはその組み合わせの１つであることを特徴とする請求項２に記載の音声映像再生設備。
【請求項１０】
前記外部音声映像入力インターフェイスは移動端末ハイビジョン音響映像標準ＭＨＬインターフェイスと、ハイビジョンマルチメディアインターフェイスＨＤＭＩと、小振幅差動信号方式ＬＶＤＳインターフェイス、ディスプレイインターフェイスＤＰと、内部配線向けディスプレイインターフェイスＥＤＰと、モバイル・インダストリー・プロセッサー・インターフェイスーディスプレイ・シリアル・インターフェイスＭＩＰＩ ＤＳＩと、論理集積回路ＴＴＬインターフェイスとのうちのいずれの１つまたはその組み合わせの１つであることを特徴とする請求項４に記載の音声映像再生設備。
【請求項１１】
前記ディスプレイが識別できる形式はＶ‐by‐Oneであることを特徴とする、請求項１または４に記載した前記音声映像再生設備。
【請求項１２】
前記音声映像再生設備以外の映像信号源に由来する外部映像信号を受信するステップと、
前記外部映像信号と前記音声映像再生設備自身が生成したスクリーンメニューデータを重ね合わせて重ね合わせ信号を生成して、前記重ね合わせ信号に対する形式変換を行うステップと、
形式変換後の重ね合わせ信号を表示するステップとを含むことを特徴とするデータ表示方法。
【請求項１３】
前記重ね合わせ信号を高解像度と高フレームレートの映像信号に変換するステップをさらに含み、
前記高解像度と高フレームレートの映像信号を表示するステップは、形式変換後の重ね合わせ信号を表示するステップを備えることを特徴とする請求項１２に記載のデータ表示方法。
【請求項１４】
前記重ね合わせ信号の形式変換は、前記重ね合わせ信号をＶ‐by‐One形式に変換することを含むことを特徴とする請求項１２に記載のデータ表示方法。
【請求項１５】
プロセッサと記憶装置とを含み、
前記記憶装置は、
前記音声映像再生設備以外の映像信号源に由来する外部映像信号を受信するステップと、
前記外部映像信号と前記音声映像再生設備自身が生成したスクリーンメニューデータを重ね合わせて重ね合わせ信号を生成して、前記重ね合わせ信号に対する形式変換を行うステップと、
形式変換後の重ね合わせ信号を表示するステップとを実行するためのプログラムを保存し、
前記プロセッサは、記憶装置に保存している前記プログラムを実行するのに用いることを特徴とする音声映像再生設備。
【請求項１６】
前記記憶装置には、
前記重ね合わせ信号を高解像度と高フレームレートの映像信号に変換するステップと、
前記高解像度と高フレームレートの映像信号を表示するステップとを実行するためのプログラムが保存されていることを特徴とする請求項１５に記載の音声映像再生設備。
【請求項１７】
前記記憶装置には、
前記重ね合わせ信号をＶ‐by‐One形式に変換するステップを実行するためのプログラムが保存されていることを特徴とする請求項１５に記載の音声映像再生設備。
【請求項１８】
請求項１２−１４の任意１つの項目に記載した方法を実行するためのプログラムが保存されていることを特徴とする記憶媒体。
【発明の詳細な説明】
【技術分野】
【０００１】
本発明の実施例はマルチメディア技術分野、特に音声映像再生設備、データの表示方法及び記憶媒体に関する。
【背景技術】
【０００２】
既存の音声映像再生設備（例えばスマートテレビ）はそのうちのスマートビデオプロセッサで映像信号とスクリーンメニューデータを重ね合わせた後ディスプレイに送信して表示するが、既存の音声映像再生設備（例えばスマートテレビ）は、そのプロセッサの処理能力が比較的低いため、通常ユーザーの需要を満しかねている。
【０００３】
一部の高性能音声映像再生設備、例えばパソコン、移動電話などは、プロセッサのクロック周波数と記録装置の桁数は一般的なプロセッサ（例えば一般的プロセッサが３２桁、クロック周波数が１．２ギガヘルツ（ＧＨｚ）であれば、相対値として高性能音声映像再生設備のプロセッサを６４桁、クロック周波数を２〜２．５ＧＨｚのプロセッサにすることが可能である）より高いため、ハイビジョン映像の放送や大型ゲームの処理能力が比較的強い。しかし、もしこれらの音声映像再生設備を用いて外部映像信号を放送すれば、そのうち、外部映像信号が音声映像再生設備のプロセッサ以外の映像信号源に由来したものは、音声映像の放送効果を調節する必要がある場合、外部映像信号とスクリーンメニューを同時に表示することができない。
【発明の概要】
【発明が解決しようとする課題】
【０００４】
本発明の実施例は従来の技術が高性能な音声映像設備を採用して外部映像信号を再生する場合、外部映像信号とスクリーンメニューを同時に表示できない問題を解決するのに用いる音声映像再生設備、データの表示方法と記憶媒体を提供する。
【課題を解決するための手段】
【０００５】
本発明の実施例はプロセッサ、映像形式変換チップとディスプレイを含む音声映像再生設備を提供する。前記プロセッサは、スクリーンメニューデータを生成して前記映像形式変換チップに出力するのに用いる。前記映像形式変換チップは、前記プロセッサに接続し、受信した外部映像信号と前記プロセッサが出力したスクリーンメニューデータを重ね合わせて、重ね合わせた後の信号を前記ディスプレイが識別できる形式の信号に変換した後ディスプレイに出力するのに用いる。そのうち、前記外部映像信号は前記プロセッサ以外の映像信号源に由来するものである。前記ディスプレイは、受信した信号を表示するのに用いる。
【０００６】
本発明の実施例は前記音声映像再生設備以外の映像信号源に由来する外部映像信号を受信し、前記外部映像信号と前記音声映像再生設備自身が生成したスクリーンメニューデータを重ね合わせて重ね合わせ信号を生成し、前記重ね合わせ信号に形式変換を行い、形式変換後の重ね合わせ信号を表示することを含むデータ表示方法を提供する。
【０００７】
本発明の実施例はプロセッサと記憶装置、前記記憶装置は次のステップを実行するプログラムを保存し、前記音声映像再生設備以外の映像信号源に由来する外部映像信号を受信し、前記外部映像信号と前記音声映像再生設備自身が生成したスクリーンメニューデータを重ね合わせて重ね合わせ信号を生成し、前記重ね合わせ信号に形式変換を行い、形式変換後の重ね合わせ信号を表示し、前記プロセッサは前記記憶装置が保存しているプログラムを実行するのに用いるもう一種の音声映像再生設備を提供する。
【０００８】
本発明の実施例は記憶媒体を提供し、前記記憶媒体に本発明の上記実施例が提供したデータ表示方法を実行するプログラムが保存されている。
【発明の効果】
【０００９】
本発明の実施例は音声映像再生設備、データ表示方法と記憶媒体を提供し、外部映像信号とスクリーンメニューデータを重ね合わせて、重ね合わせた後の信号をディスプレイが識別できる形式の信号に変換した後ディスプレイに伝送し、すなわち重ね合わせた後の信号に形式変換を行い、そして形式変換後の信号を表示することによって、外部映像信号を再生するとき、外部映像信号とスクリーンメニューを同時に表示できるようになる。
【図面の簡単な説明】
【００１０】
本発明の実施例あるいは従来技術の技術的解決手段をそして明確に説明するため、次に実施例あるいは従来技術を説明するのに必要な図面を簡単に紹介し、次に説明する図面は本発明の幾つかの実施例であり、当該領域の一般的な技術者にとって、創造的な労働をしなくても、これらの図面に基づいて容易にその他の図面を獲得できることが明白である。
【図１】本発明の実施例が提供した音声映像再生設備の構造図１である。
【図２】本発明の実施例が提供した音声映像再生設備の構造図２である。
【図３】本発明の実施例が提供した音声映像再生設備の構造図３である。
【図４】本発明の実施例が提供した音声映像再生設備の構造図４である。
【発明を実施するための形態】
【００１１】
本発明の実施例の目的、技術的解決手段および長所を一層明らかにするために、次に本発明実施例の図面に合わせて、本発明実施例の技術的解決手段を明確、完全な説明を行い、言うまでもないが、ここで説明した実施例は本発明実施例の一部であって、すべての実施例でない。本発明の実施例に基づいて、該当領域の一般的な技術者が創造的労働をすることなく獲得したその他のあらゆる実施例は、全て本発明の保護範囲に属するものである。
【００１２】
本発明の実施例が披露した音声映像再生設備は、映像信号をディスプレイに伝送するのに用い、そのうち音声映像再生設備はテレビであってもよいがそれに限定するものではなく、例えばスマートテレビは、単に前記の例示説明に用いたものであって、それに限定するものではない。
【００１３】
本発明実施例が提供した音声映像再生設備は、図１に示したように、プロセッサ１１と、映像形式変換チップ１２と、ディスプレイ１３とを含む。
プロセッサ１１は、スクリーンメニューデータを生成してそして映像形式変換チップ１２に出力するのに用いる。
【００１４】
映像形式変換チップ１２は、プロセッサ１１に接続しており、受信した外部映像信号とプロセッサ１１が出力したスクリーンメニューデータを重ね合わせて、そして重ね合わせた後の信号をディスプレイ１３が識別できる形式の信号後に変換した後ディスプレイ１３に伝送する。
そのうち、外部映像信号はプロセッサ１１以外の映像信号源に由来するものである。
【００１５】
ディスプレイ１３は、受信した信号を表示するのに用いる。
そのうち、ディスプレイ１３は音声映像再生設備自身に備えたマルチメディア装置または音声映像再生設備に接続した分解可能なマルチメディア装置であってもよいが、それに限定するものではない。
【００１６】
本発明の実施例が提供した音声映像再生設備にはイーサネット（登録商標）モジュール、有線及び／または無線通信モジュール〔例えばブルートゥース（登録商標）モジュール、ワイファイ（Ｗｉｒｅｌｅｓｓ Ｆｉｄｅｌｉｔｙ、Ｗｉ−Ｆｉ）モジュール、２．４Ｇ通信モジュールなど〕、電源管理モジュール、記憶装置モジュールおよびその組み合わせの１つを配置してもよく、これらのモジュールはすべてプロセッサ１１に接続している。
【００１７】
本発明の実施例が提供した音声映像再生設備は図２に示したように、そのうちのプロセッサ１１は電気的に第１映像形式入力インターフェイス１１１と少なくとも１つの映像形式出力インターフェイス１１２が設置され、第１映像形式入力インターフェイス１１１は主信号源２１に連結しており、主信号源２１の主映像信号とプロセッサ１１が生成したスクリーンメニューデータを重ね合わせて、そして映像形式出力インターフェイス１１２を通じて映像形式変換チップ１２に出力する。
【００１８】
映像形式変換チップ１２は、またプロセッサ１１が出力した重ね合わせた後の主映像信号をディスプレイ１３が識別できる形式の信号に変換した後ディスプレイ１３に伝送する。
【００１９】
そのうちは、主信号源２１はテレビ信号源であってもよいが、それに限定することではない。主映像信号は図２に示した音声映像再生設備が音声映像再生設備内に配置したイーサネットモジュールと有線及び／または無線通信モジュールのその中の１つからプロセッサ１１に送信した映像信号あるいはプロセッサ１１が記憶装置モジュール内から読み取った映像データなどであってもよい。そして、プロセッサ１１はまた主映像信号と生成したスクリーンメニューデータを重ね合わせた後映像形式変換チップ１２に伝送するのに用いることができる。プロセッサ１１はスクリーンメニューデータを生成し、そして自身の任意一つの映像形式出力インターフェイスを通じてスクリーンメニューデータを映像形式変換チップ１２に出力する。
【００２０】
そのうち、映像形式出力インターフェイス１１２はモバイル高精細度リンクインターフェイス（Ｍｏｂｉｌｅ Ｈｉｇｈ―ｄｅｆｉｎｉｔｉｏｎ Ｌｉｎｋ、ＭＨＬ）、高精細度マルチメディアインターフェイス（Ｈｉｇｈ Ｄｅｆｉｎｉｔｉｏｎ Ｍｕｌｔｉｍｅｄｉａ Ｉｎｔｅｒｆａｃｅ、ＨＤＭＩ：登録商標）、小振幅差動信号方式（Ｌｏｗ Ｖｏｌｔａｇｅ Ｄｉｆｆｅｒｅｎｔｉａｌ Ｓｉｇｎａｌｉｎｇ、ＬＶＤＳ）インターフェイス、ディスプレイポートインターフェイス（Ｄｉｓｐｌａｙ Ｐｏｒｔ、ＤＰ）、内部配線向けディスプレイインターフェイス（Ｅｍｂｅｄｄｅｄ Ｄｉｓｐｌａｙ Ｐｏｒｔ、ＥＤＰ）、モバイル・インダストリー・プロセッサー・インターフェイスーディスプレイ・シリアル・インターフェイス（Ｍｏｂｉｌｅ Ｉｎｄｕｓｔｒｙ Ｐｒｏｃｅｓｓｏｒ Ｉｎｔｅｒｆａｃｅ―Ｄｉｓｐｌａｙ Ｓｅｒｉａｌ Ｉｎｔｅｒｆａｃｅ、ＭＩＰＩ ＤＳＩ）、論理集積回路（Ｔｒａｎｓｉｓｔｏｒ−Ｔｒａｎｓｉｓｔｏｒ Ｌｏｇｉｃ、ＴＴＬ）インターフェイスおよびその組み合わせの１つであってもよいが、それに限定するものではない。
【００２１】
プロセッサ１１は処理モジュールおよびディスプレイメニュー選択機能表示モジュールを含む。そのうち、処理モジュールはセントラル・プロセッシング・ユニット（Ｃｅｎｔｒａｌ Ｐｒｏｃｅｓｓｉｎｇ Ｕｎｉｔ、ＣＰＵ）及び／またはグラフィックス・プロセッシング・ユニット（Ｇｒａｐｈｉｃ Ｐｒｏｃｅｓｓｉｎｇ Ｕｎｉｔ、ＧＰＵ）を含む。処理モジュールは主映像信号を出力することができ、ディスプレイメニュー設定機能モジュールは受信した操作命令に基づいてスクリーンメニューデータを生成するのに用いる。
【００２２】
プロセッサ１１のディスプレイメニュー選択機能表示モジュールは受信した操作命令に基づいて相応のスクリーンメニューデータを生成する。例えば、メニューを使用する必要がある場合、プロセッサ１１のディスプレイメニュー選択機能表示モジュールは外部から入力された命令に基づいてスクリーンメニューデータを生成し、本発明実施例の音声映像再生設備がテレビである場合、リモコンを通じてメニューを制御する機能命令を表示するようにプロセッサ１１のディスプレイメニュー選択機能表示モジュールに伝送し、プロセッサ１１のディスプレイメニュー選択機能表示モジュールはこの機能命令に基づいて相応のスクリーンメニューデータを生成し、プロセッサ１１はスクリーンメニューデータを映像形式変換チップ１２に伝送するか、あるいはプロセッサ１１の処理モジュールを通じて主信号源２１の主映像信号と重ね合わせた後、再びスクリーンメニューデータを含む重ね合わせ主映像信号を映像形式変換チップ１２に伝送する。
【００２３】
もし映像形式変換チップ１２中の重ね合わせた後の映像信号の形式は第１映像形式、例えばＨＤＭＩ形式であれば、そのうち、映像形式変換チップ１２中の重ね合わせた後の映像信号は、映像形式変換チップ１２が外部映像信号とスクリーンメニューデータを重ね合わせて生成したものでもよく、映像形式変換チップ１２が受信したプロセッサ１１が出力した重ね合わせた後の映像信号でもよい。ディスプレイが識別できる映像信号の形式は第２映像形式、例えばＶ―ｂｙ―Ｏｎｅ形式であれば、映像形式変換チップは第１映像形式のデータを第２映像形式のデータに変換した後、ディスプレイに伝送することができる。言うまでもないが、第１映像形式と第２映像形式が同じである場合、映像形式変換チップは再び映像の形式を変換する必要がないことが明らかである。
【００２４】
本発明の実施例が提供した音声映像再生設備は、図３に示したように、映像形式変換チップ１２の電気的構成としては外部音声映像入力インターフェイス１２１を設けており、外部信号源３１に接続し、外部信号源３１からの外部音声信号と外部映像信号を受信するのに用いる。
【００２５】
映像形式変換チップ１２は受信した外部音声信号をプロセッサ１１に伝送し、図３においては、プロセッサ１１はまた音声システム３２に接続しており、主信号源の主音声信号と/あるいは外部音声信号を再生するのに用いる。 そのうち、音声システム３２は音声映像再生設備自身に備えたマルチメディア装置あるいは外部から音声映像再生設備に接続した分解可能なマルチメディア装置でもよいが、それに限定するものではない。
【００２６】
外部信号源３１からの外部映像信号に対して、映像形式変換チップ１２によって外部の映像信号とプロセッサ１１が生成したスクリーンメニューデータを重ね合わせて、重ね合わせた後の信号をディスプレイ１３が識別できる形式、例えばＶ―ｂｙ―Ｏｎｅに変換し、ディスプレイ１３に出力して表示する。
【００２７】
当然なことながら、もし音声映像再生設備内に配置されたイーサネットモジュールと有線及び／または無線通信モジュール中の１つからプロセッサ１１に送信した音声データあるいはプロセッサ１１が記憶モジュールから読み取った音声データであれば、プロセッサ１１と音声映像再生設備の音声システム３２は直接当該音声データを再生する。
【００２８】
すなわち、映像形式変換チップ１２が外部映像信号を受信した場合、もしプロセッサ１１はスクリーンメニューデータを生成してそして映像形式変換チップ１２に出力すれば、当該映像形式変換チップ１２は外部映像信号と受信したスクリーンメニューデータを重ね合わせて、そして重ね合わせて得られた信号をディスプレイ１３が識別できる形式に変換した後、ディスプレイ１３に伝送して表示する。映像形式変換チップ１２が外部映像信号を受信していない場合、プロセッサ１１は直接主映像信号と生成されたスクリーンメニューデータを重ね合わせて、そして重ね合わせて得た信号を映像形式変換チップ１２に出力し、映像形式変換チップ１２は受信した重ね合わせた後の信号をディスプレイ１３が識別できる形式に変換した後、ディスプレイ１３に伝送して表示する。映像形式変換チップ１２が外部音声信号を受信した後、映像形式変換チップ１２は受信した外部音声信号をプロセッサ１１に伝送し、プロセッサ１１と音声映像再生設備の音声システム３２によって放送される。主信号源からの音声信号は主信号源と接続しているプロセッサ１１によって音声システム３２に伝送して放送される。
【００２９】
そのうち、プロセッサ１１はユニバーサル・シリアル・バス（Ｕｎｉｖｅｒｓａｌ Ｓｅｒｉａｌ Ｂｕｓ，ＵＳＢ）インターフェイス、例えばＵＳＢ３．１を通じて映像形式変換チップ１２にスクリーンメニューデータを伝送してもよいし、ＨＤＭＩを通じて伝送してもよいし、その他のインターフェイスを通じて伝送してもよいし、映像形式変換チップ１２が識別できればよい。
【００３０】
プロセッサ１１はＵＳＢインターフェイスを通じて映像形式変換チップ１２にスクリーンメニューデータを伝送する場合、映像形式変換チップ１２に電気的に２つのＨＤＭＩを設置してもよく、そのうち、映像形式変換チップ１２は１つのＨＤＭＩを通じてプロセッサ１１が出力した主映像信号とスクリーンメニューデータを重ね合わせた後の信号を受信し、映像形式変換チップ１２はもう１つのＨＤＭＩを通じて外部信号源３１が出力した外部映像信号と外部音声信号を受信する。
【００３１】
プロセッサ１１がＨＤＭＩを通じて映像形式変換チップ１２にスクリーンメニューデータを伝送する場合、映像形式変換チップ１２には電気的に３つのＨＤＭＩを設置することができ、そのうち、映像形式変換チップ１２は１つのＨＤＭＩを通じてプロセッサ１１と接続し、プロセッサ１１が出力したスクリーンメニューデータを受信するか、あるいはプロセッサ１１が出力した主映像信号とスクリーンメニューデータを重ね合わせた後の信号を受信し、映像形式変換チップ１２は２つ別のＨＤＭＩを通じて外部信号源３１が出力した外部映像信号と外部音声信号を受信する。
【００３２】
前記映像形式変換チップ１２の外部音声映像入力インターフェイス１２１はＭＨＬ、ＨＤＭＩ、ＬＶＤＳインターフェイス、ＤＰ、ＥＤＰ、ＭＩＰＩ ＤＳＩ、ＴＴＬインターフェイスおよびその組み合わせの１つでよいが、それに限定するものではない。ディスプレイ１３が識別できる形式はＶ−by−Oneであってもよい。
【００３３】
本発明の実施例が提供した音声映像再生設備はさらにフレームレート変換／動き推定および動き補償（Ｆｒａｍｅ Ｒａｔｅ Ｃｏｎｖｅｒｓｉｏｎ／Ｍｏｔｉｏｎ Ｅｓｔｉｍａｔｉｏｎ ａｎｄ Ｍｏｔｉｏｎ Compensation、FRC／MEMC）チップを含む場合、本発明の実施例が提供した音声映像再生設備は図４のとおりである。
【００３４】
図４が示した音声映像再生設備において、ＦＲＣ／ＭＥＭＣチップ１４が映像形式変換チップ１２とディスプレイ１３の間に接続され、映像形式変換チップ１２から形式変換後の映像信号を受信するのに用い、そして動き検査と動き補償の原理に基づいて変換後の映像信号に対するフレームレート変換を行い、受信した映像信号を高解像度と高フレームレートの映像信号に処理し、例えば普通６０ヘルツ（Ｈｚ）リフレッシュレートのビデオコンテンツから１２０Ｈｚまたは２４０Ｈｚのリフレッシュレートのビデオコンテンツに向上させるか、あるいは受信した映像信号に対する解像度処理を行い、もし当該受信した映像信号の解像度がすでに最高解像度であれば、この場合解像度処理を行わない。逆に、もし最高解像度でなければ、最高解像度に処理する。例えば、入力された外部映像信号が４Ｋ*２Ｋの解像度を有すれば、処理しない。もし入力された外部映像信号が単に１０８０Ｐの解像度しか有しなければ、４Ｋ＊２Ｋの解像度に処理する。その後この高解像度と高フレームレートの映像信号をディスプレイ１３に伝送して放送し、これによって動画画面の解像度が高められる。
【００３５】
図４が示した音声映像再生設備において、映像形式変換チップ１２が受信した外部音声信号の処理工程は点線で示したとおりである。映像形式変換チップ１２が受信した外部映像信号とスクリーンメニューデータの処理工程は実線で示したとおりで、映像形式変換チップ１２は受信した外部映像信号とプロセッサ１１が出力したスクリーンメニューデータとを重ね合わせて、重ね合わせた後の信号をディスプレイ１３が識別できる信号に変換した後ＦＲＣ／ＭＥＭＣチップ１４を通じてディスプレイ１３に伝送する。プロセッサ１１が映像形式変換チップ１２に出力した主映像信号とスクリーンメニューデータを重ね合わせた後の映像信号の処理工程は破線で示したとおりで、そのうち、映像形式変換チップ１２は重ね合わせた後の主映像信号とスクリーンメニューデータをディスプレイ１３が識別できる形式の信号に変換して、そしてＦＲＣ／ＭＥＭＣチップ１４で処理した後ディスプレイ１３に伝送する工程は映像形式変換チップ１２が重ね合わせた後の外部映像信号とスクリーンメニューデータを処理する工程と同じであるため、図４に示さなかった。
【００３６】
本発明の実施例が提供したデータ表示方法は、音声映像再生設備以外の映像信号源に由来する外部映像信号を受信し、外部映像信号と音声映像再生設備自身が生成したスクリーンメニューデータを重ね合わせて組み合わせ信号を生成し、そして組み合わせ信号に対する形式変換を行い、形式変換後の重ね合わせ信号を表示することを含む。
【００３７】
１つ実施可能な形態において、本発明の実施例が提供した方法は、重ね合わせた信号を高解像度と高フレームレートの映像信号に変換し、高解像度と高フレームレートの映像信号を表示することを含む形式変換後の重ね合わせ信号を表示することを含む。
【００３８】
１つ実施可能な形態において、本発明実施例が提供した当該方法は、重ね合わせた信号に対する形式変換を行い、重ね合わせた信号をＶ―ｂｙ―Ｏｎｅ形式に変換することを含む。
【００３９】
本発明の実施例が提供したもう１つの音声映像再生設備は、プロセッサと記憶装置を含み、記憶装置には次のステップを実行するためのプログラムが保存されており、音声映像再生設備以外の映像信号源に由来する外部映像信号を受信し、外部映像信号と音声映像再生設備自身が生成したスクリーンメニューデータを重ね合わせて重ね合わせ信号を生成し、そして重ね合わせた信号に対する形式変換を行い、形式変換後の重ね合わせ信号を表示する。プロセッサは、記憶装置に保存したプログラムを実行するのに用いる。
【００４０】
１つ実施可能な形態において、本発明の実施例が提供した音声映像再生設備では、記憶装置の中にはさらに次のステップを実行するためのプログラムが保存されており、重ね合わせた信号を高解像度と高フレームレートの映像信号に変換し、高解像度と高フレームレートの映像信号を表示する。
【００４１】
１つ実施可能な形態において、本発明の実施例が提供した音声映像再生設備では、記憶装置の中にはさらに次のステップを実行するためのプログラムが保存されており、重ね合わせた信号をＶ―ｂｙ―Ｏｎｅ形式に変換する。
【００４２】
上述した装置の実施例は単に例示的なものに過ぎず、そのうち前記独立部品として説明したユニットは物理的に分かれても分かれなくてもよく、ユニットとして示した部品は物理的なユニットであってもなくてもよく、すなわち１カ所にあってもよいし、あるいはいくつかのネットワークユニットに分布してもよい。実際の需要に応じてそのうちの一部または全部のモジュールを選択して本実施例の目的を実現させることができる。本領域の一般的な技術者であれば創造的な労働をしなくても、理解かつ実行することができる。
【００４３】
以上の実施形態の説明を通して、本領域の技術者であればそれぞれの実施形態をソフトウェアに加えて必要な汎用ハードウェアプラットフォームの助けを借りる形式で実現することができ、当然なことながらハードウェアを利用してもよい。このような理解に基づいて、前記技術的解決手段の本質あるいは従来の技術に貢献した部分はソフトウェア製品の形式で実現することができ、当該コンピュータソフトウェア製品はコンピュータが保存できる記憶媒体、例えばＲＯＭ／ＲＡＭ、磁気ディスク、光ディスクなどに保存することができ、いくつかの命令を含めた１台のコンピュータ設備（パソコン、サーバー、またはネットワーク設備などでよい）にそれぞれの実施例または実施例のある部分で説明した方法を実行させることができる。
【００４４】
最後に説明すべきなのは、以上の実施例が単に本発明の技術的解決手段を説明するためのものであり、それを限定するものではない。前記実施例において本発明に対する詳細な説明を行ったが、本領域の一般的な技術者が理解すべきなのは、依然として前記各実施例に記載した技術的解決手段を修正したり、あるいはそのうちの一部の技術特徴に対する同等の交換を行ったりすることが可能であり、これらの修正または交換は、相応の技術的解決手段の実質を本発明各実施例の技術的解決手段の精神と範囲から逸脱させるものではない。
【００４５】
本願は２０１５年０８月２１日中国特許庁に出願し、出願番号２０１５１０５２０５６３．８、出願名を[音声映像再生設備]とする中国特許出願の優先権を要求し、その全記載内容は引用を通じて本願に結びつけている。
【図１】
2017532795.tif 000003
【図２】
2017532795.tif 000004
【図３】
2017532795.tif 000005
【図４】
2017532795.tif 000006
【国際調査報告】
2017532795.tif 000007
2017532795.tif 000008
2017532795.tif 000009
2017532795.tif 000010
2017532795.tif 000011
2017532795.tif 000012